(57)【要約】【課題】検像による修正の有無又は内容を容易に把握し得る医用情報処理装置及びプログラムを提供する。【解決手段】医用画像に含まれる患者情報、検査情報、シリーズ情報及び画像情報の各情報についての修正の有無又は修正の内容を示す修正情報を画面上に表示する医用情報処理装置３０において、患者情報、検査情報、シリーズ情報及び画像情報の各情報、及び各情報の修正情報を種別に階層化したデータベースＤ１により記憶する記憶部３５と、患者情報、検査情報、シリーズ情報及び画像情報の修正情報うち、何れかの修正情報を前記画面上に表示する際、当該表示する修正情報よりも下位階層の修正情報についても前記画面上に表示する制御部３１と、を備えた医用情報処理装置３０とする。【選択図】図１
2010099159.tif 000002
【特許請求の範囲】
【請求項１】
医用画像に含まれる患者情報、検査情報、シリーズ情報又は画像情報について修正情報を画面上に表示する医用情報処理装置において、
前記患者情報、検査情報、シリーズ情報又は画像情報の各情報、及び各情報の修正情報をデータベースにより記憶する記憶部と、
前記患者情報、検査情報、シリーズ情報及び画像情報の修正情報うち、何れかの修正情報を前記画面上に表示する際、当該表示する修正情報よりも下位階層の修正情報についても前記画面上に表示する制御部と、
を備えた医用情報処理装置。
【請求項２】
前記データベースは、前記画像情報の修正情報を前記患者情報及び検査情報の修正情報よりも下位階層に格納する階層化構造を有しており、
前記制御部は、一の患者の検査ごとに前記患者情報及び検査情報の修正情報を前記画面上に表示する際、当該表示する患者情報及び検査情報の修正情報よりも下位階層の前記画像情報の修正情報についても前記画面上に表示する請求項１に記載の医用情報処理装置。
【請求項３】
前記データベースは、前記画像情報の修正情報を前記シリーズ情報の修正情報よりも下位階層に格納する階層化構造を有しており、
前記制御部は、一の患者のシリーズごとに前記シリーズ情報の修正情報を前記画面上に表示する際、当該表示するシリーズ情報よりも下位階層の前記画像情報の修正情報についても前期画面上に表示する請求項１又は２に記載の医用情報処理装置。
【請求項４】
前記制御部は、一の患者の医用画像ごとに前記画像情報の修正情報を前記画面上に表示する際、当該表示する医用画像のサムネイル画像を生成して表示する請求項１〜３の何れか一項に記載の医用情報処理装置。
【請求項５】
前記制御部は、前記修正情報をアイコン、背景色と異なる色又は別ウィンドウにより識別して前記画面上に表示する請求項１〜４の何れか一項に記載の医用情報処理装置。
【請求項６】
前記アイコンは、修正の内容に応じて異なる記号、模様、形状及び色である請求項５に記載の医用情報処理装置。
【請求項７】
前記記憶部は、前記修正情報及び前記修正情報をヘッダ部に有する医用画像を記憶し、
前記制御部は、一定期間経過後又は前記記憶部の記憶容量が一定量超過した際に、前記修正情報をヘッダ部に有する医用画像を前記記憶部から削除するとともに外部記憶装置に記憶させる請求項１〜６の何れか一項に記載の医用情報処理装置。
【請求項８】
医用画像に含まれる患者情報、検査情報、シリーズ情報又は画像情報についての修正の有無又は修正の内容を示す修正情報を画面上に表示するプログラムにおいて、
コンピュータを、
前記患者情報、検査情報、シリーズ情報又は画像情報の各情報、及び各情報の修正情報を種別に階層化したデータベースにより記憶する記憶手段、
前記患者情報、検査情報、シリーズ情報及び画像情報の修正情報うち、何れかの修正情報を前記画面上に表示する際、当該表示する修正情報よりも下位階層の修正情報についても前記画面上に表示する制御手段、
として機能させるプログラム。
【発明の詳細な説明】
【技術分野】
【０００１】
本発明は、医用情報処理装置及びプログラムに関する。
【背景技術】
【０００２】
医療現場では、複数の撮影装置によって複数の医用画像が生成され、生成された医用画像は読影医の画像診断等に供される。
一般に、読影医の画像診断に供される前に「検像」が行われる。検像とは、生成された医用画像について、読影用又は保管用として適性であるか否かを検査すること、又は適正でない場合には適正な内容に修正することをいう。検像によって、読影医の負担を軽減することができ、誤診防止を図ることができる。
【０００３】
近年、検像の行われた検像済み医用画像について、適正な品質を確保しているか否かが問題となっている。つまり、検像を行うユーザが不適正な検像を行った場合、如何にして誤りに気付いて再度検像し直すか、或いは如何にして不適正な検像の発生を減らすかが問題となっている。
【０００４】
特許文献１によれば、過去にこれまで行われてきた検像における修正を全体的に把握することができる技術が開示されている（特許文献１参照）。
特許文献１の技術では、修正に関する修正情報を修正履歴データベースに蓄積し、蓄積した修正情報を集計して図案化することにより、修正傾向を容易に把握し得ることを目的としている。
【特許文献１】特開２００７−２３６６０３号公報
【発明の開示】
【発明が解決しようとする課題】
【０００５】
しかし、特許文献１の技術では、不適正な検像が行われたことを容易に把握するものではない。誤った検像による修正の傾向を把握して不適正な検像の発生を減らすことはできても、リアルタイムで検像による修正の有無又は内容を把握し、適正か否かの判断を行うことはできない。
【０００６】
本発明の課題は、検像による修正の有無又は内容を視覚的に容易に把握し得る医用情報処理装置及びプログラムを提供することにある。
【課題を解決するための手段】
【０００７】
本発明によれば、医用画像に含まれる患者情報、検査情報、シリーズ情報又は画像情報について修正情報を画面上に表示する医用情報処理装置において、
前記患者情報、検査情報、シリーズ情報又は画像情報の各情報、及び各情報の修正情報をデータベースにより記憶する記憶部と、
前記患者情報、検査情報、シリーズ情報及び画像情報の修正情報うち、何れかの修正情報を前記画面上に表示する際、当該表示する修正情報よりも下位階層の修正情報についても前記画面上に表示する制御部と、
を備えた医用情報処理装置が提供される。
【発明の効果】
【０００８】
本発明によれば、検像による修正の有無又は内容を視覚的に容易に把握することができる。検像による修正が適正であるか否かをリアルタイムで容易に判断することができ、修正が適正でない場合には再度検像による修正が可能である。よって、検像済み医用画像の品質を確保することができる。
【発明を実施するための最良の形態】
【０００９】
以下、本発明を実施するための最良の形態について、図面を用いて詳細に説明する。
まず、図１に、全体構成として画像処理システム１００を示す。
画像処理システム１００は、ＲＩＳ１０、モダリティ２０、医用情報処理装置３０、ＰＡＣＳ４０、ビューア５０等を備えて構成される。なお、画像処理システム１００は、医用画像のやりとりにＤＩＣＯＭ（Digital Imaging and COmmunication in Medicine）規格を用いる。
【００１０】
ＲＩＳ１０は、「Radiology Information System」の略であり、放射線科内の情報を管理する放射線科情報システムである。ＲＩＳ１０は、オペレータによるオーダ情報の入力を受け付けてオーダ情報を登録する。オーダ情報には、主として患者情報及び検査情報が含まれる。患者情報とは、患者名、患者ＩＤ等の患者を特定するための情報である。また、検査情報とは、撮影部位、撮影方向及び撮影方法等の検査に関する情報であり、具体的には「撮影部位：胸部、撮影方向：正面Ａ−Ｐ、撮影方法：呼気」等の情報である。
ＲＩＳ１０は、登録したオータ情報をモダリティ２０における何れかの撮影装置（例えば、ＣＲ装置２１）に送信するとともに、医用情報処理装置３０に送信する。
【００１１】
モダリティ２０は、患者を透過した透過Ｘ線を取得して医用画像を生成する撮影装置であって、例えばＣＲ（Computed Radiography）装置２１、ＦＰＤ（Flat Panel Detector）装置２２、ＣＴ（Computed Tomography）装置２３、ＭＲ（Magnetic Resonance）装置２４、ＵＳ（Ultra Sound）装置２５等がある。
【００１２】
モダリティ２０によって生成される医用画像は、患者の画像情報の他に付帯情報を含む。付帯情報は、オーダ情報の一部の情報であって、例えば患者情報及び検査情報である。つまり、モダリティ２０は、患者情報、検査情報及び画像情報を含む医用画像を生成して、生成した医用画像を医用情報処理装置３０に送信する。
【００１３】
医用情報処理装置３０は、ＲＩＳ１０から送信されたオーダ情報を受信するとともに、モダリティ２０によって生成された医用画像を受信する。そして、医用情報処理装置３０は、受信した医用画像について、読影用又は保管用として適性であるか否かを検査し、不適正な場合には適正な内容に修正等する処理（以下、検像）を行う。なお、本実施形態では、検像に含まれる処理のうち特に、検像による修正の有無を示す修正情報を種別に階層化されたデータベースにより記憶する処理について説明する。
【００１４】
図２に、医用情報処理装置３０の内部構成を示す。
医用情報処理装置３０は、制御部３１、入力部３２、表示部３３、通信部３４、記憶部３５等を備えて構成されており、各部はバス３６により接続されている。
【００１５】
制御部３１は、図示しないＣＰＵ（Central Processing Unit）、ＲＡＭ（Random Access Memory）等を備えて構成される。制御部３１は、記憶部３５に記憶されているシステムプログラムや処理プログラム等の各種プログラムを読み出してＲＡＭに展開し、読み出した各種プログラムとの協働により処理動作を統括的に制御する。
【００１６】
入力部３２は、カーソルキー、数字入力キー、及び各種機能キー等を備えたキーボードと、マウス等のポインティングデバイスを備えて構成される。入力部３２は、キーボードで押下操作されたキーの押下信号とマウスによる操作信号とを入力信号として制御部３１に出力する。
【００１７】
表示部３３は、例えば、ＣＲＴ（Cathode Ray Tube）やＬＣＤ（Liquid Crystal Display）等のモニタを備えて構成される。表示部３３は、制御部３１から入力される表示信号の指示に従って、各種画面を表示する。
【００１８】
通信部３４は、ネットワークインターフェース等により構成される。通信部３４は、図示しない通信ネットワークに接続された外部機器との間でデータの送受信を行い、オーダ情報及び医用画像を受信する。また、通信部３４は、検像済み医用画像をＰＡＣＳ４０又はビューア５０に送信する。
【００１９】
記憶部３５は、ＨＤＤ（Hard Disc Drive）や半導体の不揮発性メモリ等により構成される。記憶部３５は、制御部３１により実行されるシステムプログラムを始めとする各種プログラムを記憶し、各種プログラムにより処理されたデータ等を記憶する。
また、記憶部３５は、一の患者の一の医用画像に含まれる患者情報、検査情報、シリーズ情報及び画像情報の各情報及び各情報の修正情報を種別に階層化されたデータベースによって記憶する。
【００２０】
図３に、階層化されたデータベースＤ１の一例を示す。
データベースＤ１は、患者情報、検査情報、シリーズ情報、画像情報及び画像変更情報テーブル、の各情報を種別に階層化した階層化構造を有する。本実施形態におけるデータベースＤ１によれば、最上位階層に患者情報／検査情報が格納され、以下、シリーズ情報、画像情報、画像変更情報テーブルの順に各情報が階層化されて格納される。
【００２１】
患者情報には、患者を識別して特定する情報が含まれ、具体的には患者の名前や患者ＩＤ等が含まれる。
検査情報には、検査を識別して特定する情報が含まれ、具体的には検査インスタンスＵＩＤや検査日付及び時刻、検査ＩＤ等が含まれる。
シリーズ情報には、シリーズを識別して特定する情報が含まれ、具体的にはシリーズインスタンスＵＩＤやオーダコメント、撮影部位等が含まれる。
画像情報には、医用画像を識別して特定する情報が含まれ、具体的には画像ＩＤやＳＯＰインスタンスＵＩＤ等が含まれる。
画像変更情報テーブルには、テーブルを識別して特定する情報が含まれ、具体的にはテーブルＩＤや修正の前後の値等が含まれる。
【００２２】
データベースＤ１によれば、上記の各情報について検像により修正された場合、修正された情報と同じ階層（レベル）に修正情報が格納される。例えば、画像ＩＤが修正された場合、画像情報のレベルに修正情報が格納される。
なお、図３に示すデータベースＤ１では患者情報／検査情報は同一の階層としているが、これらを更に階層化して、上位に患者情報、下位に検査情報としてもよい。
【００２３】
図４を参照して、医用画像の生成から保管までの一連の処理について説明する。
ＲＩＳ１０は、オーダ情報を登録し（ステップＳ１）、登録したオーダ情報をモダリティ２０に送信する（ステップＳ２）。また、ＲＩＳ１０は、登録したオーダ情報を医用情報処理装置３０にも送信する（ステップＳ３）。なお、登録したオーダ情報には、患者情報、検査情報等が含まれる。具体的には、患者ＩＤや検査インスタンスＵＩＤ、オーダコメント等が含まれる（図３参照）。
【００２４】
モダリティ２０は、オーダ情報に基づいて、患者を撮影して医用画像を生成する（ステップＳ４）。生成された医用画像のヘッダ部には、オーダ情報の一部が付帯情報として付帯されている。付帯されるオーダ情報の一部には、上述した検査ＩＤや検査インスタンスＵＩＤ、オーダコメント等が含まれる他、医用画像の生成時に新たな情報が付帯される。付帯される新たな情報には、例えば画像ＩＤ等がある。
モダリティ２０は、医用画像を医用情報処理装置３０に送信する（ステップＳ５）。
【００２５】
医用情報処理装置３０は、医用画像を受信して検像処理を行う（ステップＳ６）。
検像処理とは、読影用又は保管用として適性であるか否かを検査し、不適正な場合には適正な内容に修正等する処理をいう。具体的には、オーダ情報と医用画像との整合性チェックや医用画像の表示順序を変更する処理等がある。
【００２６】
医用画像に対して検像処理が行われた結果、患者情報、検査情報、シリーズ情報、画像情報及び画像変更情報テーブルのうち何れかの情報が修正された場合、医用情報処理装置３０は修正情報を生成する。
【００２７】
医用情報処理装置３０は、患者情報等の各情報についての修正情報をデータベースＤ１により記憶部３５に記憶する（ステップＳ７）。
【００２８】
図５に、データベースＤ１により修正情報を記憶する処理を示す。
制御部３１は、患者情報の修正の有無について判断する（ステップＳ７１）。
患者情報の修正があった場合（ステップＳ７１；Ｙ）、制御部３１は、患者情報の修正情報を生成し、データベースＤ１の患者情報／検査情報レベルに修正情報を格納して記憶する（ステップＳ７２）。
患者情報の修正がない場合（ステップＳ７１；Ｎ）、制御部３１は、ステップＳ７３に移行する。
【００２９】
制御部３１は、検査情報の修正の有無について判断する（ステップＳ７３）。
検査情報の修正があった場合（ステップＳ７３；Ｙ）、制御部３１は、検査情報の修正情報を生成し、データベースＤ１の患者情報／検査情報レベルに修正情報を格納して記憶する（ステップＳ７４）。
検査情報の修正がない場合（ステップＳ７３；Ｎ）、制御部３１は、ステップＳ７５に移行する。
【００３０】
制御部３１は、シリーズ情報の修正の有無について判断する（ステップＳ７５）。
シリーズ情報の修正があった場合（ステップＳ７５；Ｙ）、制御部３１は、シリーズ情報の修正情報を生成し、データベースＤ１のシリーズ情報レベルに修正情報を格納して記憶する（ステップＳ７６）。
シリーズ情報の修正がない場合（ステップＳ７５；Ｎ）、制御部３１は、ステップＳ７７に移行する。
【００３１】
制御部３１は、画像情報の修正の有無について判断する（ステップＳ７７）。
画像情報の修正があった場合（ステップＳ７７；Ｙ）、制御部３１は、画像情報の修正情報を生成し、データベースＤ１の画像情報レベルに修正情報を格納して記憶することにより（ステップＳ７８）、データベースＤ１により修正情報を記憶する処理を終了する。
画像情報の修正がない場合も（ステップＳ７７；Ｎ）、制御部３１は、本処理を終了する。
【００３２】
図４に戻り、医用情報処理装置３０は、受信した医用画像のヘッダ部に、患者情報、検査情報、シリーズ情報、画像情報及び画像変更情報テーブルの各修正情報を付帯する（ステップＳ８）。
【００３３】
医用情報処理装置３０は、ヘッダ部に修正情報が付帯された医用画像をＰＡＣＳ４０又はビューア５０に送信する（ステップＳ９）。
なお、医用情報処理装置３０は、一定期間経過するまで、或いは記憶部３５の記憶容量が一定量以上となるまで、ヘッダ部に修正情報が付帯された医用画像を記憶しておく。
【００３４】
ＰＡＣＳ４０は、医用画像を受信して図示しない記憶部により保管する。ＰＡＣＳ４０の記憶部は、記憶部３５と同様に、データベースＤ１により修正情報を記憶する。
また、ビューア５０は、受信した医用画像を画面上に表示する（ステップＳ１０）。これにより、医用画像の生成から保管までの一連の処理を終了する。
【００３５】
図６に、修正情報の表示処理を示す。
なお、修正情報の表示処理は、修正情報がデータベースＤ１により格納されて記憶された後に行われる。具体的には、医用情報処理装置３０による処理（図４；ステップＳ６〜Ｓ８参照）が行われた後に行われる。なお、本実施形態では、医用情報処理装置３０が行うとしたが、データベースＤ１を記憶部に記憶するＰＡＣＳ４０やビューア５０等が行うとしてもよい。
【００３６】
制御部３１は、表示部３３に表示されているオプション画面（図７参照）において、入力部３２を介して修正情報を表示する指示があるか否か判断する（ステップＳ１１）。
表示する指示がない場合（ステップＳ１１；Ｎ）、制御部３１は待機する。
表示する指示があった場合（ステップＳ１１；Ｙ）、制御部３１は、検索条件入力画面（図８参照）を表示部３３に表示する（ステップＳ１２）。
【００３７】
制御部３１は、入力部３２を介して、検索条件が入力され、かつ検索指示があるか否か判断する（ステップＳ１３）。
【００３８】
検索指示がない場合（ステップＳ１３；Ｎ）、制御部３１は、検索条件入力画面を表示部３３に表示させたまま待機する。
検索指示があった場合（ステップＳ１３；Ｙ）、制御部３１は、検索対象となった医用画像が記憶部３５に記憶されているか否か判断する（ステップＳ１４）。
【００３９】
記憶部３５に記憶されている場合（ステップＳ１４；Ｙ）、制御部３１は、記憶部３５から検索対象の医用画像を取得する（ステップＳ１５）。
記憶部３５に記憶されていない場合（ステップＳ１４；Ｎ）、制御部３１は、通信部３４を介してＰＡＣＳ４０から検索対象の医用画像を取得する（ステップＳ１６）。
【００４０】
制御部３１は、検査ごとに、取得した医用画像における患者情報、検査情報、画像情報の各修正情報を画面上に表示する（ステップＳ１７）。
具体的には、制御部３１は、患者情報、検査情報、画像情報の修正の有無を画面上に識別して表示する（図９参照）。
【００４１】
制御部３１は、入力部３２を介して、一の検査が指定され、かつ指定された検査の詳細情報を取得する指示があるか否か判断する（ステップＳ１８）。
【００４２】
詳細情報を取得する指示がない場合（ステップＳ１８；Ｎ）、制御部３１は、各修正情報を画面上に表示させたまま待機する。
【００４３】
詳細情報を取得する指示があった場合（ステップＳ１８；Ｙ）、制御部３１は、指定された一の検査におけるシリーズごとに、検査情報及び画像情報の各修正情報を画面上に表示する（ステップＳ１９）。
具体的には、制御部３１は、オーダコメントについての修正の有無及び医用画像についての修正の有無を画面上に識別して表示する（図１０参照）。
【００４４】
制御部３１は、入力部３２を介して、一のシリーズが指定され、かつ指定されたシリーズの詳細情報を取得する指示があるか否か判断する（ステップＳ２０）。
【００４５】
詳細情報を取得する指示がない場合（ステップＳ２０；Ｎ）、制御部３１は、各修正情報を画面上に表示させたまま待機する。
【００４６】
詳細情報を取得する指示があった場合（ステップＳ２０；Ｙ）、制御部３１は、指定された一のシリーズにおける医用画像のサムネイル画像を生成する（ステップＳ２１）。
そして、制御部３１は、指定された一のシリーズにおける医用画像ごとに、サムネイル画像及び画像情報の修正情報を画面上に表示する（ステップＳ２２）。
具体的には、制御部３１は、階調、白黒反転、アノテーション、回転、反転、マスキングの修正の有無を画面上に識別して表示する（図１１参照）。
【００４７】
制御部３１は、入力部３２を介して、一の医用画像が指定され、かつ指定された医用画像の詳細情報を取得する指示があるか否か判断する（ステップＳ２３）。
【００４８】
詳細情報を取得する指示がない場合（ステップＳ２３；Ｎ）、制御部３１は、各修正情報を画面上に表示させたまま待機する。
【００４９】
詳細情報を取得する指示があった場合（ステップＳ２３；Ｙ）、制御部３１は、指定された一の医用画像の修正情報を別ウィンドウにより画面上に表示する（ステップＳ２４）。
具体的には、制御部３１は、指定された一の医用画像の修正の内容、更に具体的には修正の履歴を別ウィンドウにより画面上に表示する（図１２参照）。
以上により、修正情報の表示処理を終了する。
【００５０】
図７〜図１２を参照して、画面例について説明する。
まず、図７に、オプション画面Ｇ１を示す。
オプション画面Ｇ１は、各種設定を行うための複数のボタンにより構成される。オプション画面Ｇ１では、複数のボタンのうち、修正履歴を表示するためのボタンＢ１が表示される。
ボタンＢ１が押下されると、オプション画面Ｇ１から検索条件入力画面に移行する。
【００５１】
図８に、検索条件入力画面Ｇ２を示す。
検索条件入力画面Ｇ２は、修正情報を種別に表示するための複数のフレームにより構成される。検索条件入力画面Ｇ２では、複数のフレームのうち、患者ＩＤや患者名等の患者情報を入力するフレームＦ１が表示される。
フレームＦ１において患者情報が入力され、検索ボタンＢ２が押下されると、検索条件入力画面Ｇ２から検査検索結果の画面に移行する。
【００５２】
図９に、検査検索結果の表示画面Ｇ３を示す。
検査検索結果の表示画面Ｇ３は、フレームＦ２において、一の患者の検査ごとに患者情報、検査情報及び画像情報の修正の有無を表示することにより構成される。
フレームＦ２において一の検査が指定され、詳細情報を取得するボタンＢ３が押下されると、検査検索結果の表示画面Ｇ３からシリーズ検索結果の表示画面Ｇ４に移行する。
【００５３】
図１０に、シリーズ検索結果の表示画面Ｇ４を示す。
シリーズ検索結果の表示画面Ｇ４は、フレームＦ３において、一の検査のシリーズごとに検査情報及び画像情報の修正の有無を色分けして表示することにより構成される。
検査情報の修正、又は画像情報の修正があったシリーズは、背景色以外の色が付されることにより識別されて表示される。
【００５４】
また、検査情報のみ修正があったシリーズは、フレームＦ３における欄Ｃ１に色が付され、画像情報のみ修正があったシリーズは、フレームＦ３における欄Ｃ２に色が付される。検査情報及び画像情報の両方に修正があったシリーズは、欄Ｃ１と欄Ｃ２の両方に色が付される。
フレームＦ３において一のシリーズが指定され、詳細情報を取得するボタンＢ４が押下されると、シリーズ検索結果の表示画面Ｇ４から画像検索結果の表示画面Ｇ５に移行する。
【００５５】
図１１に、画像検索結果の表示画面Ｇ５を示す。
画像検索結果の表示画面Ｇ５は、フレームＦ４において、一のシリーズの医用画像ごとに画像情報の修正の内容をアイコンｉｃ１により表示することで構成される。アイコンｉｃ１は、修正の内容に応じて記号、模様、形状及び色が異なる。
また、画像検索結果の表示画面Ｇ５は、フレームＦ４において、一のシリーズの医用画像ごとにサムネイル画像Ｔ１を表示することにより構成される。
画像検索結果の表示画面Ｇ５において、詳細情報を取得するボタンＢ５が押下されると、別ウィンドウが重畳して表示される詳細検索結果の表示画面Ｇ６に移行する。
【００５６】
図１２に、詳細検索結果の表示画面Ｇ６を示す。
詳細検索結果の表示画面Ｇ６は、別ウィンドウＷ１を重畳して表示することにより構成される。
別ウィンドウＷ１は、患者情報及び検査情報について修正の前後の内容を対比させて表示する。
【００５７】
以上のように、本実施形態によれば、修正情報を記憶部３５に記憶する際、データベースＤ１により種別に階層化して記憶することができる。よって、上位階層の修正情報を表示部３３に表示する際、下位階層の修正情報についても同一画面上に表示することができ、検像による修正の有無又は内容を容易に把握することができる。
【００５８】
また、一の患者の修正情報を表示部３３に表示する際、検査ごとに、患者情報、検査情報及び画像情報の修正情報を表示部３３に同時に表示することができる。よって、検査ごとに、検像による修正の有無又は内容を容易に把握することができる。
【００５９】
また、一の患者の修正情報を表示部３３に表示する際、シリーズごとに、シリーズ情報及び画像情報の修正情報を表示部３３に同時に表示することができる。よって、シリーズごとに、検像による修正の有無又は内容を容易に把握することができる。
【００６０】
また、一の患者の修正情報を表示部３３に表示する際、医用画像ごとに、画像情報の修正情報を表示部３３に表示し、かつサムネイル画像を表示することができる。よって、医用画像ごとに、検像による修正の有無又は内容を容易に把握することができる。
【００６１】
また、修正情報の有無を予め定められたアイコン、色又は別ウィンドウにより識別して表示部３３に表示することができる。
【００６２】
また、予め定められたアイコンを修正の内容に応じて異なる記号、模様、形状及び色等とすることができる。
【００６３】
また、修正情報を医用画像のヘッダ部に付帯させて記憶部３５に記憶させておき、一定期間経過後、又は記憶部３５の記憶容量が一定量超過した後、ＰＡＣＳ４０等の外部記憶装置に記憶させることができる。これにより、記憶部３５の記憶容量を削減することができ、医用情報処理装置３０の動作を安定化させることができる。
【図面の簡単な説明】
【００６４】
【図１】画像処理システムを示す図である。
【図２】医用情報処理装置の機能ブロック図である。
【図３】データベースの一例を示す図である。
【図４】医用画像の生成から保管までの一連の処理を示す図である。
【図５】修正情報記憶処理を示す図である。
【図６】修正情報表示処理を示す図である。
【図７】オプション画面の一例を示す図である。
【図８】検索条件入力画面の一例を示す図である。
【図９】検査検索結果の表示画面の一例を示す図である。
【図１０】シリーズ検索結果の表示画面の一例を示す図である。
【図１１】画像検索結果の表示画面の一例を示す図である。
【図１２】詳細検索結果の表示画面の一例を示す図である。
【符号の説明】
【００６５】
１００  画像処理システム
１０    ＲＩＳ
２０    モダリティ
３０    医用情報処理装置
３１    制御部
３２    入力部
３３    表示部
３４    通信部
３５    記憶部
４０    ＰＡＣＳ
５０    ビューア
【図１】
2010099159.tif 000003
【図２】
2010099159.tif 000004
【図３】
2010099159.tif 000005
【図４】
2010099159.tif 000006
【図５】
2010099159.tif 000007
【図６】
2010099159.tif 000008
【図７】
2010099159.tif 000009
【図８】
2010099159.tif 000010
【図９】
2010099159.tif 000011
【図１０】
2010099159.tif 000012
【図１１】
2010099159.tif 000013
【図１２】
2010099159.tif 000014